(57)【要約】【課題】  光源数を抑えてコストダウンを図ることができる指針計器を提供する。【解決手段】  光源4からガイドライト7の内部に導入した光を拡散面7eで拡散させて文字板5を照明すると共に、ガイドライト7の外周から漏れた光を入光面9aから指針板6の内部に導入して反射面9b,9c,9dにより指針板6の内周側へ反射させ、指針部10aで正面側に反射させることで指針部10aを発光させる。【選択図】  図２
2012154659.tif 000002
【特許請求の範囲】
【請求項１】
正面側に表示部が設けられた文字板と、
前記文字板の正面側に配置され、光透過性を有する円盤状の指針板と、
前記指針板を回転駆動する駆動装置と、
前記文字板の背面側中央付近に配置された光源と、
前記文字板と前記光源との間に配置され、前記光源の照射光を前記指針板の外周側に導く導光体と、
前記導光体に設けられ、導光体の内部を進行する光の一部を拡散させる拡散面と、
前記指針板の外周部に設けられ、前記導光体の外周から漏れた光を指針板の内部に導く入光面と、
前記入光面から前記指針板の内部に進入した光を前記指針板の内周側に向かって反射させる反射面と、
前記指針板に設けられ、前記表示部を指示する指針部と、
前記指針部に設けられ、前記指針板の内部を進行する光の一部を正面側に反射させる反射部と、
を備えたことを特徴とする指針計器。
【請求項２】
請求項１に記載の指針計器において、
前記駆動装置は、前記指針板の外周部に回転トルクを入力することを特徴とする指針計器。
【請求項３】
請求項１または請求項２に記載の指針計器において、
前記駆動装置は、減速器を介して前記指針板を回転駆動することを特徴とする指針計器。
【発明の詳細な説明】
【技術分野】
【０００１】
本発明は、指針計器に関する。
【背景技術】
【０００２】
特許文献１には、光透過性を有する円盤状の指針板の外周側から光源の光を指針板の内部に取り込んで中心方向へ進行させ、指針部に設けた反射面により正面側（視認者側）へ反射させることで、指針部を発光させる技術が開示されている。
【先行技術文献】
【特許文献】
【０００３】
【特許文献１】特開2006-267081号公報
【発明の概要】
【発明が解決しようとする課題】
【０００４】
しかしながら、上記従来技術にあっては、文字板用の光源と指針板用の光源とをそれぞれ別に設ける必要があり、光源は高価であることから、コストアップが懸念される。
本発明の目的は、光源数を抑えてコストダウンを図ることができる指針計器を提供することにある。
【課題を解決するための手段】
【０００５】
上記目的を達成するために、本発明では、光源から導光体の内部に導入した光を拡散面で拡散させて文字板を照明すると共に、導光体の外周から漏れた光を入光面から指針板の内部に導入して反射面により指針板の内周側へ反射させ、指針部で正面側に反射させることで指針部を発光させる。
【発明の効果】
【０００６】
よって、本発明にあっては、文字板用の光源と指針板用の光源とを共用化できるため、光源数を抑えてコストダウンを図ることができる。
【図面の簡単な説明】
【０００７】
【図１】実施例１の指針計器1を示す正面図である。
【図２】実施例１の指針計器1を示す図１のS2-S2矢視図である。
【図３】実施例１の外周部9を示す図２の要部拡大図である。
【図４】実施例２の指針計器20を示す図１のS2-S2矢視図である。
【図５】他の実施例の指針計器の要部拡大断面図である。
【発明を実施するための形態】
【０００８】
以下、本発明の指針計器を実施するための形態を、図面に示す実施例に基づいて説明する。
〔実施例１〕
構成を説明する。
図１は実施例１の指針計器1を示す正面図、図２は実施例１の指針計器1を示すS2-S2矢視図である。実施例１の指針計器1は、車両のインストルメントパネルに設置されるコンビネーションメータのスピードメータとして用いられる。視認者（ドライバ）側を正面側、反対方向を背面側と称す。
【０００９】
回路基板2は、紙フェノール系またはガラスエポキシ系材料によって形成された硬質回路基板からなり、その正面2aには所定の銅箔材料からなる複数の配線パターン（不図示）が形成され、この配線パターンに、例えばステッピングモータからなる駆動装置3と発光ダイオードからなる4つの光源4が搭載され、導通固定されている。回路基板2は、ハウジング11内に収容されている。
【００１０】
駆動装置3は、回路基板2の背面2bに装着され、その回転軸3aが回路基板2を貫通して文字板5の正面5a側に突出し、先端には指針板6が連結されている。回路基板2と文字板5との間には、図外のロアハウジングが設けられている。ロアハウジングは、遮光性を有し、回路基板2の正面2aと文字板5の背面5bとの間に介装され、回路基板2を支持している。
各光源4は、周方向に等間隔（90°ピッチ）で配置されている。
【００１１】
文字板5は、光透過性を有する素材、例えばアクリル樹脂等で円盤状に形成され、正面5a側の外周付近には、表示部5cとして車速を示す数値が円弧状に並んで配置されている。表示部5cは、光が透過するように構成され、文字板5のうち表示部5cを除く部分には、光が透過しないように、例えば黒色インク等による遮光性着色層が形成されている。文字板5の中心には、駆動装置3の回転軸3aが貫通する開口部5dが形成されている。
【００１２】
光源4と文字板5との間には、光源4の照射光を文字板5の外周側に導くガイドライト（導光体）7が配置されている。ガイドライト7は、中心に駆動装置3の回転軸3aが貫通する開口部7cを有し、外周縁7fは文字板5の外周縁よりも大径の円形状に形成されている。開口部7cの開口縁は、背面7b側に湾曲し、各光源4と接する環状の入光面7dが形成されている。ガイドライト7の背面7bには、入光面7dを除き、梨地加工やホットスタンプ等を施した拡散面7eが形成されている。拡散面7eは、ガイドライト7の内部を進行する光を拡散させ、文字板5の表示部5cを照明する。拡散面7eはガイドライト7の正面7aに設けてもよい。
【００１３】
指針板6は、光透過性を有する素材、例えば透明なアクリル樹脂等で形成され、円盤部8と円盤部8の外周に設けられた外周部9とを有する。
円盤部8は、ガイドライト7の外周縁7fと同じ外径を有し、背面8bの中心には、駆動装置3の回転軸3aが連結されている。円盤部8には、指針部10が設けられている。指針部10は、車速の変化に応じて駆動装置3が指針板6を回転駆動した際、車速に合致した表示部5cを指示する。指針部10が設けられた円盤部8の背面8bには、指針板6の内部を進行する光の一部を正面側に反射させる反射部10aが設けられている。反射部10aは、三角形や半球形の溝とする。なお、正面側への反射量は劣るが、梨地加工やホットスタンプ等の拡散処理を施してもよい。反射部10aは、円盤部8の正面8aに設けてもよい。
【００１４】
図３は、実施例１の外周部9を示す図２の要部拡大図である。
外周部9は、円盤部8の外周縁から背面側へ延び、入光面9aと３つの反射面9b,9c,9dとを有する。
入光面9aは、ガイドライト7の外周縁7fと対向し、外周縁7fから漏れた光の一部を外周部9の内部に導入する。
反射面9bは、入光面9aから外周部9の内部に進入した光を正面側へ反射させる。
反射面9cは、入光面9aから外周部9の内部に進入した光および反射面9bにより反射された光を正面側または円盤部8の中心に向かって反射させる。
反射面9dは、反射面9bおよび反射面9cにより反射された光を円盤部8の中心に向かって反射させる。
【００１５】
次に、作用を説明する。
実施例１の指針計器1において、光源4から照射された照射光は、ガイドライト7の入光面7dからガイドライト7の内部に進入し、湾曲部分から外周側に向かって進行する。このとき、光の一部はガイドライト7の背面7bに設けられた拡散面7eによって拡散し、この拡散光により表示部5cが照明される。また、拡散面7eにより拡散されなかった光はガイドライト7の外周縁7fから出射し、指針板6の外周部9に設けられた入光面9aから指針板6の内部に進入する。
【００１６】
指針板6の内部に進入した光は、３つの反射面9b,9c,9dの少なくとも１つで反射し、指針板6の中心に向かって進行する。このとき、光の一部は指針板6の指針部10に設けられた反射部10aによって正面側に反射し、指針部10の発光に供される。
よって、実施例１の指針計器1では、4つの光源4が文字板5の表示部5cを照明する光源と指針部10を発光させる光源とを兼ねるため、文字板用の光源と指針板用の光源とを別々に設けた従来装置と比較して、光源数を抑えることができ、コストダウンおよび消費電力の低減を図ることができる。
また、指針板6には、外周側から中心に向かって光が入射するため、指針部10の回転位置にかかわらず、常に均一な光を反射部10aに入射できる。つまり、指針部10の回転位置が変化することによる輝度ムラの発生を抑制できる。
【００１７】
ここで、指針板6の内部を進行する光のうち、指針部10の発光に供されないものは、指針板6の外周に向かって進行し、３つの反射面9b,9c,9dの少なくとも１つを介して入光面9aから指針板6の外部へと出射する。この光は、ガイドライト7の外周縁7fからガイドライト7の内部へと戻り、拡散面7eで拡散して表示部5cの照明に供される。つまり、光源4の照射光を表示部5cの照明と指針部10の照明の少なくとも一方に利用できるため、光の利用効率が高いため、光源4の出力を低減でき、小型化および消費電力の低減を図ることができる。
また、ガイドライト7の輝度ムラが指針板6からガイドライト7へ戻る光によって緩和されるため、表示部5cを均一に照明できる。
加えて、指針板6の外周に指針板6からの光漏れを抑える部材や加工の追加が不要であるため、指針板6を簡素な構造とすることができ、見栄えも損なわれない。
【００１８】
次に、効果を説明する。
実施例１の指針計器1にあっては、以下の効果を奏する。
(1) 正面5a側に表示部5cが設けられた文字板5と、文字板5の正面5a側に配置され、光透過性を有する円盤状の指針板6と、指針板6を回転駆動する駆動装置3と、文字板5の背面5b側中央付近に配置された光源4と、文字板5と光源4との間に配置され、光源4の照射光を指針板6の外周側に導くガイドライト7と、ガイドライト7に設けられ、ガイドライト7の内部を進行する光の一部を拡散させる拡散面7eと、指針板6の外周部に設けられ、ガイドライト7の外周から漏れた光を指針板の内部に導く入光面7dと、入光面7dから指針板6の内部に進入した光を指針板6の内周側に向かって反射させる反射面9b,9c,9dと、指針板6に設けられ、表示部5cを指示する指針部10と、指針部10に設けられ、指針板6の内部を進行する光の一部を正面側に反射させる反射部10aと、を備えたため、文字板5用の光源と指針板6用の光源とを共用化できるため、光源数を抑えてコストダウンを図ることができる。
【００１９】
〔実施例２〕
図４は、実施例２の指針計器20を示す図１のS2-S2矢視図である。
実施例２の指針計器20は、指針板6の駆動構造が実施例１と相違する。
駆動装置3は、指針板6の外周縁よりも外側に配置されている。駆動装置3の回転軸3aには、第１歯車21が連結されている。
指針板6の外周部9の外周縁には、第１歯車21と噛み合う第２歯車22が取り付けられている。第２歯車22は、第１歯車21よりも大径に形成されている。また、第２歯車22は、指針板6よりも屈折率が小さい素材で形成されている。
なお、他の構成は実施例１と同じであるため、説明を省略する。
【００２０】
次に、作用を説明する。
実施例２では、指針板6の外周部に回転トルクを入力するため、指針板6の中心に回転トルクを入力する実施例１に対して、駆動装置3の出力トルクを小さくでき、駆動装置3の小型化を図ることができる。
また、回転軸3aの回転が第１歯車21と第２歯車22とからなる減速歯車（減速器）を介して指針板6に伝達されるため、駆動装置3の出力トルクを減速歯車の減速比に比例して大きくできる。よって、回転軸3aを指針板6に直結した実施例１の構成に対し、駆動装置3の出力トルクを1/（減速比）まで小さくでき、駆動装置3の小型化に寄与する。
ここで、第２歯車22は、指針板6よりも屈折率が小さい素材で形成されているため、反射面9c（図３参照）における光の全反射を損なうことはない。
【００２１】
次に、効果を説明する。
実施例２の指針計器20にあっては、以下の効果を奏する。
(2) 駆動装置3は、指針板6の外周部に回転トルクを入力するため、駆動装置3の出力トルクを小さくでき、小型化によるコストダウンを図ることができる。
(3) 駆動装置3は、減速器（第１歯車21、第２歯車22）を介して指針板6を回転駆動するため、駆動装置3の出力トルクを小さくでき、小型化によるコストダウンを図ることができる。
【００２２】
（他の実施例）
以上、本発明の指針計器を実施例に基づいて説明したが、具体的な構成については、実施例に限られるものではなく、特許請求の範囲に記載の各請求項に係る発明の要旨を逸脱しない限り、設計の変更や追加は許容される。
例えば、ガイドライト7の形状は、表示部5cの形状に合わせて馬蹄形状としてもよい。
各反射面9b,9c,9dの反射へ与える影響が少ない部位であれば、第２歯車22を指針板6と一体に形成してもよい。
【００２３】
また、指針板6の外周部9に形成される入光面、反射面の形状は任意である。
図５は、外周部9に段差部31を形成し、ガイドライト7の外周縁7fと対向する入光面9aに加え、ガイドライト7の正面7aと対向する入光面32を設けた例である。入光面全体の面積を大きくしたことで、ガイドライト7の外周縁7fから漏れた光をより多く取り込むことができ、光の利用効率がより高められる。
【符号の説明】
【００２４】
1  指針計器
3  駆動装置
4  光源
5  文字板
5a  正面
5b  背面
5c  表示部
6  指針板
7  ガイドライト（導光体）
7d  入光面
7e  拡散面
9a  入光面
9b,9c,9d  反射面
21  第１歯車（減速器）
22  第２歯車（減速器）
【図１】
2012154659.tif 000003
【図２】
2012154659.tif 000004
【図３】
2012154659.tif 000005
【図４】
2012154659.tif 000006
【図５】
2012154659.tif 000007